(57)【特許請求の範囲】
【請求項１】
外面に雄ねじを有して天井面に取付けられるランプソケットと、このランプソケットに挿通する挿通孔を有するフランジと、前記雄ねじに螺合される雌ねじを有して前記フランジを支持するホルダーナットと、前記ホルダーナットにより前記フランジが前記天井面を押圧するのを阻止する規制手段とを備え、
前記規制手段は、前記ランプソケットに設けられたフランジ当接部と、前記フランジに設けられて前記ホルダーナットの締付けにより前記フランジ当接部に係止するソケット当接部とを有し、
前記ランプソケットは、引掛シーリングボディの受け刃に接続される栓刃を有するとともにロック解除釦を側面に有しかつ前記フランジの回転を規制する回転規制部を有し、前記フランジは前記回転規制部に係止する係止部を有する照明器具。
【請求項２】
外面に雄ねじを有して天井面に取付けられるランプソケットと、このランプソケットに挿通する挿通孔を有するフランジと、前記雄ねじに螺合される雌ねじを有して前記フランジを支持するホルダーナットと、前記ホルダーナットにより前記フランジが前記天井面を押圧するのを阻止する規制手段とを備え、
前記規制手段は前記ランプソケットに設けた上フランジ係載部およびその下側の下フランジ係止部を有し、前記フランジは前記上フランジ係載部に係載される上フランジと、前記ホルダーナットに支持されて前記ホルダーナットの締付けにより前記下フランジ係止部に係止する下フランジを有する照明器具。
【請求項３】
外面に雄ねじを有して天井面に取付けられるランプソケットと、このランプソケットに挿通する挿通孔を有するフランジと、前記雄ねじに螺合される雌ねじを有して前記フランジを支持するホルダーナットと、前記ホルダーナットにより前記フランジが前記天井面を押圧するのを阻止する規制手段とを備え、
前記規制手段は前記ランプソケットに設けた上フランジ係載部およびその下側の下フランジ係止部を有し、前記フランジは前記上フランジ係載部に係載される上フランジと、前記ホルダーナットに支持されて前記ホルダーナットの締付けにより前記下フランジ係止部に係止する下フランジを有し、
前記ランプソケットは引掛シーリングボディの受け刃に接続される栓刃を有するとともにロック解除釦を側面に有しかつ前記フランジの回転を規制する回転規制部を有し、前記フランジは前記回転規制部に係止する係止部を有する照明器具。
【発明の詳細な説明】
【０００１】
【産業上の利用分野】
この発明は、照明器具に関するものである。
【０００２】
【従来の技術】
従来例を図１１に示す。すなわち、この照明器具は、外面に雄ねじ７０を有して天井面に取付けられるランプソケット７１と、このランプソケット７１に挿通する挿通孔７２を有して天井面に押付けられるフランジ７３と、雄ねじ７０に螺合される雌ねじ７５を有してフランジ７３を天井面に押し付けるホルダーナット７４とを備えている。７６はグローブ、７７はランプ、７８は端子台、７９はソケット台である。
【０００３】
【発明が解決しようとする課題】
しかし、この照明器具は、ホルダーナット７４を締付け過ぎると、フランジ７３が天井面に押付けられ、その反発力としてランプソケット７１を天井面から引き下げる力が働き、ランプソケット７１に器具重量以上の異常な力が下方に加わることとなり、そのためランプソケット７１の天井面への取付けが緩んだり外れたりする危険性があった。
【０００４】
また引掛シーリングボディの受け刃に接続する栓刃をランプソケットの後端部に有するランプソケットでは、ホルダーナットを締付けたときに栓刃および受け刃が変形し、引掛シーリングボディの破壊やランプソケットの落下につながる危険性があった。
したがって、この発明の目的は、ランプソケットに異常な力が下方に加わるのを防止することができる照明器具を提供することである。
【０００５】
【課題を解決するための手段】
請求項１の照明器具は、外面に雄ねじを有して天井面に取付けられるランプソケットと、このランプソケットに挿通する挿通孔を有するフランジと、前記雄ねじに螺合される雌ねじを有して前記フランジを支持するホルダーナットと、前記ホルダーナットにより前記フランジが前記天井面を押圧するのを阻止する規制手段とを備え、
前記規制手段は、前記ランプソケットに設けられたフランジ当接部と、前記フランジに設けられて前記ホルダーナットの締付けにより前記フランジ当接部に係止するソケット当接部とを有し、
前記ランプソケットは、引掛シーリングボディの受け刃に接続される栓刃を有するとともにロック解除釦を側面に有しかつ前記フランジの回転を規制する回転規制部を有し、前記フランジは前記回転規制部に係止する係止部を有するものである。
【０００６】
請求項２の照明器具は、外面に雄ねじを有して天井面に取付けられるランプソケットと、このランプソケットに挿通する挿通孔を有するフランジと、前記雄ねじに螺合される雌ねじを有して前記フランジを支持するホルダーナットと、前記ホルダーナットにより前記フランジが前記天井面を押圧するのを阻止する規制手段とを備え、
前記規制手段は前記ランプソケットに設けた上フランジ係載部およびその下側の下フランジ係止部を有し、前記フランジは前記上フランジ係載部に係載される上フランジと、前記ホルダーナットに支持されて前記ホルダーナットの締付けにより前記下フランジ係止部に係止する下フランジを有するものである。
【０００７】
請求項３の照明器具は、外面に雄ねじを有して天井面に取付けられるランプソケットと、このランプソケットに挿通する挿通孔を有するフランジと、前記雄ねじに螺合される雌ねじを有して前記フランジを支持するホルダーナットと、前記ホルダーナットにより前記フランジが前記天井面を押圧するのを阻止する規制手段とを備え、
前記規制手段は前記ランプソケットに設けた上フランジ係載部およびその下側の下フランジ係止部を有し、前記フランジは前記上フランジ係載部に係載される上フランジと、前記ホルダーナットに支持されて前記ホルダーナットの締付けにより前記下フランジ係止部に係止する下フランジを有し、
前記ランプソケットは引掛シーリングボディの受け刃に接続される栓刃を有するとともにロック解除釦を側面に有しかつ前記フランジの回転を規制する回転規制部を有し、前記フランジは前記回転規制部に係止する係止部を有するものである。
【０００８】
【作用】
請求項１の照明器具によれば、天井面に取付けられたランプソケットにフランジの挿通孔を通し、必要に応じてランプソケットにセード等の配光制御部材を通し、さらにランプソケットに雄ねじにホルダーナットの雌ねじを螺合する。この場合、ホルダーナットの雌ねじを雄ねじに螺合することにより、フランジが天井面を押圧するのを阻止する規制手段を有するため、従来のようにホルダーナットの締付けの反発力がランプソケットに加わらないので、ランプソケットに異常な力が下方に加わるのを防止することができる。したがって、ランプソケットの取付けの緩みや落下を防止することができ安全性を確保できる。また引掛シーリングボディにランプソケットを接続するものでは引掛シーリングボディの破損を防止できるとともに、フランジが天井面に押付けられないので、天井面にフランジの跡形が生じることもない。
規制手段が、前記ランプソケットに設けられたフランジ当接部と、前記フランジに設けられて前記ホルダーナットの締付けにより前記フランジ当接部に係止するソケット当接部とを有するため、従来例のようにフランジを天井面に当てた場合に、フランジのたわみ等で締付け力が吸収され締付け力が徐々に強くなるので、ホルダーナットの締付け完了の状態が分かりにくいのに対して、ホルダーナットを締付けたとき、ホルダーナットのソケット当接部がフランジ当接面に当たると急にホルダーナットの締付けが堅くなるので、締付け完了の状態がわかりやすい。
前記ランプソケットは引掛シーリングボディの受け刃に接続される栓刃を有するとともにロック解除釦を側面に有しかつ前記フランジの回転を規制する回転規制部を有し、前記フランジは前記回転規制部に係止する係止部を有するため、ホルダーナットの回動に伴って回転規制部が係止部に係止することによりランプソケットに対してフランジが共回りしないので、フランジの回動によってフランジの一部でロック解除釦を押すおそれがなく、したがってランプソケットが外れて落下する等の危険性を防止することができる。また引掛シーリングボディに取付ける際にフランジを位置決めし易くなる。
【０００９】
請求項２の照明器具によれば、ホルダーナットの雌ねじを雄ねじに螺合することにより、フランジが天井面を押圧するのを阻止する規制手段を有するため、従来のようにホルダーナットの締付けの反発力がランプソケットに加わらないので、ランプソケットに異常な力が下方に加わるのを防止することができる。したがって、ランプソケットの取付けの緩みや落下を防止することができ安全性を確保できる。また引掛シーリングボディにランプソケットを接続するものでは引掛シーリングボディの破損を防止できるとともに、フランジが天井面に押付けられないので、天井面にフランジの跡形が生じることもない。
前記規制手段が前記ランプソケットに設けた上フランジ係載部およびその下側の下フランジ係止部を有し、前記フランジは前記上フランジ係載部に係載される上フランジと、前記ホルダーナットに支持されて前記ホルダーナットの締付けにより前記下フランジ係止部に係止する下フランジを有するため、たとえセード等の配光制御部材を取付けた場合でも下フランジをランプソケットの突出部で押さえ付けるため、配光制御部材が確実に固定される。
【００１０】
請求項３の照明器具によれば、ホルダーナットの雌ねじを雄ねじに螺合することにより、フランジが天井面を押圧するのを阻止する規制手段を有するため、従来のようにホルダーナットの締付けの反発力がランプソケットに加わらないので、ランプソケットに異常な力が下方に加わるのを防止することができる。したがって、ランプソケットの取付けの緩みや落下を防止することができ安全性を確保できる。また引掛シーリングボディにランプソケットを接続するものでは引掛シーリングボディの破損を防止できるとともに、フランジが天井面に押付けられないので、天井面にフランジの跡形が生じることもない。
前記規制手段が前記ランプソケットに設けた上フランジ係載部およびその下側の下フランジ係止部を有し、前記フランジは前記上フランジ係載部に係載される上フランジと、前記ホルダーナットに支持されて前記ホルダーナットの締付けにより前記下フランジ係止部に係止する下フランジを有するため、たとえセード等の配光制御部材を取付けた場合でも下フランジをランプソケットの突出部で押さえ付けるため、配光制御部材が確実に固定される。
前記ランプソケットは引掛シーリングボディの受け刃に接続される栓刃を有するとともにロック解除釦を側面に有しかつ前記フランジの回転を規制する回転規制部を有し、前記フランジは前記回転規制部に係止する係止部を有するため、ホルダーナットの回動に伴って回転規制部が係止部に係止することによりランプソケットに対してフランジが共回りしないので、フランジの回動によってフランジの一部でロック解除釦を押すおそれがなく、したがってランプソケットが外れて落下する等の危険性を防止することができる。また引掛シーリングボディに取付ける際にフランジを位置決めし易くなる。
【００１２】
【実施例】
この発明の第１の実施例を図１ないし図５により説明する。すなわち、この照明器具は、ランプソケット１と、フランジ２と、ホルダーナット３とを有する。ランプソケット１は、外面に雄ねじ４を有して天井面５に取付けられる。実施例のランプソケット１は略円柱形であり後端部に栓刃６を有し、天井面５に取付けられた引掛シーリングのうちの埋込ローゼット８の受け刃（図示せず）に接続されている。この埋込ローゼット８は引掛片７を有する。またランプソケット１の後端部の一直径方向に一対の突出部９を突設し、突出部９の後端面に栓刃１０を突設するとともに突出部９の一方にロック突起（図示せず）を設け、突出部９の一側部にロック突起を後退操作するロック解除釦１１を設けている。したがって、ロック解除釦１１を押した状態で栓刃６を栓刃挿入口に挿入し、ランプソケット１を回動してロック解除釦１１を離すとロック突起が栓刃挿入口に嵌合し、栓刃１０が栓刃挿入口の方向に回転するのが規制され、ランプソケット１が不用意に外れるのを防止する。また突出部９の下部を規制手段２０のフランジ当接部１９としている。またランプソケット１は白熱電球等の雄ねじのある口金をねじ込ませるねじ込みソケットを実施例としている。２５は口金をねじ込ませる雌ねじ部、２６は口金に接触する接片、２７は栓刃取付ねじである。
【００１３】
フランジ２は、ランプソケット１に挿通する挿通孔１２を有する。実施例のフランジ２は埋込ローゼット８を遊嵌可能な大きさの大径部１３とランプソケット１を挿通可能な小径部１４を同軸方向に連続した筒状体であり、大径部１３の縁部には一対向方向に引掛爪７を挿通する切欠部１５を有し、小径部１４は内筒部１６を端部で一体に連結している。またホルダーナット３の締付けによりフランジ当接部１９に係止するソケット当接部１７，１８を内筒部１６に形成している。ソケット当接部１７，１８は互いに高さの異なる埋込ローゼット８と図５に示す角型の引掛シーリングボディ８′とに適用できるようにするため、互いにランプソケット１の軸方向に高さを所定寸法異ならせている。すなわち、ランプソケット１にこのフランジ２を挿通した場合、この実施例は埋込ローゼット８であり引掛シーリングボディ８′よりも高さが低いので、図２の一点鎖線のようにソケット当接部１７をフランジ当接部１９に当接するようにフランジ２の向きを決める。この場合のソケット当接部１７の高さは、ソケット当接部１７がフランジ当接部１９に当接した状態で大径部１３の端部が天井面５に当接しない寸法に設定されている。同様に、ソケット当接部１８の高さは、図５に示すように引掛シーリング８′にランプソケット１を接続した場合に、フランジ２をランプソケット１の突出部９が２点鎖線のように位置するように向きを決定し、フランジ２のソケット当接部１８がフランジ当接部１９に当接した状態で大径部１３の端部が天井面５に当接しない寸法に設定されている。
【００１４】
フランジ２がランプソケット１に挿通された後、配光制御部材であるセード２１がランプソケット１に挿通される。
ホルダーナット３は、雄ねじ４に螺合される雌ねじ２９を有してフランジ２を支持する。実施例ではセード２１を介してフランジ２を支持しており、上端部に切欠３０を形成してセード２１との摩擦力を弱めてセード２１の共回りを少なくしている。
【００１５】
３１は白熱ランプである。
規制手段２０は、フランジ２が天井面５を押圧するのを阻止するものであり、前記したようにランプソケット１に設けられたフランジ当接部１９と、フランジ２に設けられてホルダーナット３の締付けによりフランジ当接部１９に係止するソケット当接部１７，１８とを有する。
【００１６】
第１の実施例によれば、天井面５に取付けられたランプソケット１にフランジ２の挿通孔１２を通し、必要に応じてランプソケット１にセード２１等の配光制御部材を通し、さらにランプソケット１の雄ねじ４にホルダーナット３の雌ねじ２９を螺合する。これにより、フランジ２により埋込ローゼット８を被覆するとともに、セード２１が固定される。
【００１７】
この場合、ホルダーナット３の雌ねじ２９を雄ねじ４に螺合することにより、フランジ２が天井面５を押圧するのを阻止する規制手段２０を有するため、従来のようにホルダーナット３の締付けの反発力がランプソケット１に加わらないので、ランプソケット１に異常な力が下方に加わるのを防止することができる。したがって、ランプソケット１の取付けの緩みや落下を防止することができ安全性を確保できる。また埋込ローゼット８や引掛シーリングボディ８′にランプソケット１を接続するものでは引掛シーリングボディ８′等の破損を防止できるとともに、フランジ２が天井面５に押付けられないので、天井面５にフランジの跡形が生じることもない。
【００１８】
また規制手段２０が、ランプソケット１に設けられたフランジ当接部１９と、フランジ２に設けられてホルダーナット３の締付けによりフランジ当接部１９に係止するソケット当接部１７，１８とを有するため、従来例のようにフランジを天井面に当てた場合に、フランジのたわみ等で締付け力が吸収され締付け力が徐々に強くなるので、ホルダーナットの締付け完了の状態が分かりにくいのに対して、ホルダーナット３を締付けたとき、ホルダーナット３のソケット当接部１７，１８がフランジ当接面１９に当たると急にホルダーナット３の締付けが堅くなるので、締付け完了の状態がわかりやすい。
【００１９】
この発明の第２の実施例を図６および図７により説明する。すなわち、この照明器具は、第１の実施例において、角型の引掛シーリングボディ８′に適用したものであり、ランプソケット１は引掛シーリングボディ８′の受け刃に接続される栓刃１０を有するとともに、ロック解除釦１１を側面に有し、かつフランジ２の回転を規制する回転規制部９′を有する。実施例の回転規制部９′はランプソケット１の突出部９で兼用している。フランジ２はロック解除釦１１に対向する対向部を有するとともに回転規制部９′に係止する係止部３２を有する。実施例の対向部はソケット当接部１７であり、また係止部３２はソケット当接部１８に当接するフランジ当接部１９の両側を挟持するようにソケット当接部１７，１８の傾斜連設部３３のソケット当接部１８側端部に形成している。３５はフランジ２の切欠１５のノックアウト板である。その他の構成は、第１の実施例と同様である。
【００２０】
この第２の実施例によれば、ホルダーナット３の回動に伴って回転規制部９が係止部３２に係止することによりランプソケット１に対してフランジ２が共回りしないので、ロック解除釦１１に対向する対向部であるソケット当接部１７がロック解除釦１１を押すことがなく、したがってロック解除釦１１が押されないのでランプソケット１が外れて落下する等の危険性を防止することができる。
【００２１】
すなわち、第１の実施例では、フランジ２が天井面５に当接しないため、ホルダーナット３を回動するのに伴ってフランジ２が回動し、ロック解除釦１１の対向部となるソケット当接部１７がロック解除釦１１を押した状態でフランジ２のソケット当接部１８がランプソケット１のフランジ当接部１９に押圧固定されることがある。その結果、ランプソケット１の無理外しが可能となり、ランプソケット１や引掛シーリングボディ８′の破損のおそれが生じた。
【００２２】
またこの実施例は、引掛シーリングボディ８′に取付ける際にフランジ２を位置決めし易くなる。その他は、第１の実施例と同様の作用効果がある。
この発明の第３の実施例を図８ないし図１０により説明する。すなわち、この照明器具は、規制手段２０がランプソケット１に設けた上フランジ係載部３６およびその下側の下フランジ係止部３７を有し、フランジ２は上フランジ係載部３６に係載される上フランジ３８と、ホルダーナット３に支持されてホルダーナット３の締付けにより下フランジ係止部３７に係止する下フランジ３９を有する。実施例の上フランジ係載部３６はランプソケット１の突出部９の端部に設けた突起であり、下フランジ係止部３７は突出部９の下面で兼用されている。また上フランジ３８は、中央のソケット挿入孔３８ａの内周面より一直径方向に相対向するように突出して上フランジ係載部３６に係載する舌片状の一対の係合部４０を有するとともに、係合部４０と直角な方向に相対向する一対の係合部４０′を有する。係合部４０は上フランジ３８を係載してランプソケット１を角型の引掛シーリングボディ８′に接続したとき、上フランジ３８の上端部が天井面５に当接するかこれに接近するように寸法が設定されている。同様に係合部４０′は埋込ローゼット８にランプソケット１を接続したときに上フランジ３８の上端部が天井面５に当接するかこれに接近する寸法に設定されている。４１は配光制御部材であるグローブであり、挿通孔４１′が下フランジ３９の下側でランプソケット１に通され、ホルダーナット３により締付けられ、これにより下フランジ３９を下フランジ係載部３７に押圧している。４２は栓刃挿入口、４３は栓刃挿入溝である。その他は、第１の実施例と共通するので第１の実施例と同一箇所に同一符号を付している。
【００２３】
この実施例によれば、グローブ４１等の配光制御部材を取付けた場合でも下フランジ３９をランプソケット１の突出部９の下面である下フランジ係止部３７により押さえ付けているため、配光制御部材が確実に固定される。その他、第１の実施例と同様な作用効果がある。
なお、第２の実施例の回転規制部９′に係止する係止部３２を第３の実施例の上フランジ３８に設けて上フランジ３８の回転を規制しロック解除釦（図示せず）の不用意な解除動作を防止するようにしてもよい。
【００２４】
また前記各実施例はランプソケット１が埋込ローゼットを含む引掛シーリングボディに接続されたが、ソケット台等により直接天井面に取付けられたものでもよい。
【００２５】
【発明の効果】
請求項１の照明器具によれば、天井面に取付けられたランプソケットにフランジの挿通孔を通し、必要に応じてランプソケットにセード等の配光制御部材を通し、さらにランプソケットに雄ねじにホルダーナットの雌ねじを螺合する。この場合、ホルダーナットの雌ねじを雄ねじに螺合することにより、フランジが天井面を押圧するのを阻止する規制手段を有するため、従来のようにホルダーナットの締付けの反発力がランプソケットに加わらないので、ランプソケットに異常な力が下方に加わるのを防止することができる。したがって、ランプソケットの取付けの緩みや落下を防止することができ安全性を確保できる。また引掛シーリングボディにランプソケットを接続するものでは引掛シーリングボディの破損を防止できるとともに、フランジが天井面に押付けられないので、天井面にフランジの跡形が生じることもない。
規制手段が、前記ランプソケットに設けられたフランジ当接部と、前記フランジに設けられて前記ホルダーナットの締付けにより前記フランジ当接部に係止するソケット当接部とを有するため、従来例のようにフランジを天井面に当てた場合に、フランジのたわみ等で締付け力が吸収され締付け力が徐々に強くなるので、ホルダーナットの締付け完了の状態が分かりにくいのに対して、ホルダーナットを締付けたとき、ホルダーナットのソケット当接部がフランジ当接面に当たると急にホルダーナットの締付けが堅くなるので、締付け完了の状態がわかりやすい。
前記ランプソケットは引掛シーリングボディの受け刃に接続される栓刃を有するとともにロック解除釦を側面に有しかつ前記フランジの回転を規制する回転規制部を有し、前記フランジは前記回転規制部に係止する係止部を有するため、ホルダーナットの回動に伴って回転規制部が係止部に係止することによりランプソケットに対してフランジが共回りしないので、フランジの回動によってフランジの一部でロック解除釦を押すおそれがなく、したがってランプソケットが外れて落下する等の危険性を防止することができる。また引掛シーリングボディに取付ける際にフランジを位置決めし易くなる。
【００２６】
請求項２の照明器具によれば、ホルダーナットの雌ねじを雄ねじに螺合することにより、フランジが天井面を押圧するのを阻止する規制手段を有するため、従来のようにホルダーナットの締付けの反発力がランプソケットに加わらないので、ランプソケットに異常な力が下方に加わるのを防止することができる。したがって、ランプソケットの取付けの緩みや落下を防止することができ安全性を確保できる。また引掛シーリングボディにランプソケットを接続するものでは引掛シーリングボディの破損を防止できるとともに、フランジが天井面に押付けられないので、天井面にフランジの跡形が生じることもない。
前記規制手段が前記ランプソケットに設けた上フランジ係載部およびその下側の下フランジ係止部を有し、前記フランジは前記上フランジ係載部に係載される上フランジと、前記ホルダーナットに支持されて前記ホルダーナットの締付けにより前記下フランジ係止部に係止する下フランジを有するため、たとえセード等の配光制御部材を取付けた場合でも下フランジをランプソケットの突出部で押さえ付けるため、配光制御部材が確実に固定される。
【００２７】
請求項３の照明器具によれば、ホルダーナットの雌ねじを雄ねじに螺合することにより、フランジが天井面を押圧するのを阻止する規制手段を有するため、従来のようにホルダーナットの締付けの反発力がランプソケットに加わらないので、ランプソケットに異常な力が下方に加わるのを防止することができる。したがって、ランプソケットの取付けの緩みや落下を防止することができ安全性を確保できる。また引掛シーリングボディにランプソケットを接続するものでは引掛シーリングボディの破損を防止できるとともに、フランジが天井面に押付けられないので、天井面にフランジの跡形が生じることもない。
前記規制手段が前記ランプソケットに設けた上フランジ係載部およびその下側の下フランジ係止部を有し、前記フランジは前記上フランジ係載部に係載される上フランジと、前記ホルダーナットに支持されて前記ホルダーナットの締付けにより前記下フランジ係止部に係止する下フランジを有するため、たとえセード等の配光制御部材を取付けた場合でも下フランジをランプソケットの突出部で押さえ付けるため、配光制御部材が確実に固定される。
前記ランプソケットは引掛シーリングボディの受け刃に接続される栓刃を有するとともにロック解除釦を側面に有しかつ前記フランジの回転を規制する回転規制部を有し、前記フランジは前記回転規制部に係止する係止部を有するため、ホルダーナットの回動に伴って回転規制部が係止部に係止することによりランプソケットに対してフランジが共回りしないので、フランジの回動によってフランジの一部でロック解除釦を押すおそれがなく、したがってランプソケットが外れて落下する等の危険性を防止することができる。また引掛シーリングボディに取付ける際にフランジを位置決めし易くなる。
【図面の簡単な説明】
【図１】この発明の第１の実施例の要部断面図である。
【図２】フランジの底面図である。
【図３】ランプソケットを示すもので、（ａ）は半断面正面図、（ｂ）はその半断面側面図、（ｃ）は底面図である。
【図４】全体の分解斜視図である。
【図５】角型の引掛シーリングボディに接続した状態の要部断面図である。
【図６】第２の実施例の要部断面図である。
【図７】フランジを示すもので、（ａ）は底面図、（ｂ）はそのＡ−Ａ線断面図、（ｃ）は図（ａ）のＢ−Ｂ線断面図である。
【図８】第３の実施例の分解斜視図である。
【図９】上フランジを取付けた状態の部分断面図である。
【図１０】上フランジの底面図である。
【図１１】従来例の分解斜視図である。
【符号の説明】
１    ランプソケット
２    フランジ
３    ホルダーナット
４    雄ねじ
５    天井面
８′    引掛シーリングボディ
９′    回転規制部
１０    栓刃
１１    ロック解除釦
１２    挿通孔
１７，１８    ソケット当接部
１９    フランジ当接部
２０    規制手段
２９    雌ねじ
３２    係止部
３６    上フランジ係載部
３７    下フランジ係止部
３８    上フランジ
３９    下フランジ
【図１】
0003612758.tif 000002
【図２】
0003612758.tif 000003
【図３】
0003612758.tif 000004
【図４】
0003612758.tif 000005
【図５】
0003612758.tif 000006
【図６】
0003612758.tif 000007
【図７】
0003612758.tif 000008
【図８】
0003612758.tif 000009
【図９】
0003612758.tif 000010
【図１０】
0003612758.tif 000011
【図１１】
0003612758.tif 000012